【手続補正書】
【提出日】平成16年10月14日(2004.10.14)
【手続補正１】
【補正対象書類名】明細書
【補正対象項目名】発明の名称
【補正方法】変更
【補正の内容】
【発明の名称】金型洗浄装置
【手続補正２】
【補正対象書類名】明細書
【補正対象項目名】特許請求の範囲
【補正方法】変更
【補正の内容】
【特許請求の範囲】
【請求項１】
電解洗浄液を収容する洗浄槽内に被洗浄物である金型を浸漬し、該金型と、洗浄槽内に浸漬した電極とに電流を供給して電解洗浄を行う金型洗浄装置において、
上記洗浄槽の外周面あるいは／および内周面に沿って、発熱抵抗線を耐熱材で保護した面状ヒータあるいはベルトヒータを取り付けて、洗浄槽の外周面あるいは／および内周面に熱面を形成し、
上記ヒータにより、電解洗浄液の温度を３０℃〜７０℃の範囲に制御していることを特徴とする金型洗浄装置。
【請求項２】
上記面状ヒータ、ベルトヒータとして、合成ゴム、シリコンゴムシートの間に発熱抵抗線を配したものを用いている請求項１に記載の金型洗浄装置。
【請求項３】
電解洗浄液を収容する洗浄槽内に被洗浄物である金型を浸漬し、該金型と、洗浄槽内に浸漬した電極とに電流を供給して電解洗浄を行う金型洗浄装置において、
上記電解洗浄液を収容した洗浄槽の電解洗浄液の内部に、石英、セラミック、ステンレス、チタン、あるいは、鉄や真鍮にクロームメッキを施したパイプ型のヒータを着脱自在に投入し、
上記ヒータにより、電解洗浄液の温度を３０℃〜７０℃の範囲に自動制御していることを特徴とする金型洗浄装置。
【請求項４】
上記洗浄槽内に温度センサーを配置して、洗浄槽内に収容した電解洗浄液の温度を検出すると共に、上記温度センサーを制御装置に接続し、温度センサーに検出した温度に応じて、上記ヒータをオン・オフ制御して、上記電解洗浄液の温度を３０℃〜７０℃の範囲に設定している請求項１乃至請求項３のいずれか１項に記載の金型洗浄装置。
【請求項５】
電解洗浄液を収容する洗浄槽内に被洗浄物である金型を浸漬し、該金型と、洗浄槽内に浸漬した電極とに電流を供給して電解洗浄を行う金型洗浄装置において、
上記洗浄槽の内周面に沿って、温度制御用パイプを少なくとも１周配管し、該温度制御パイプの入口と出口を温度制御源と配管で接続し、該温度制御源より温度制御したエア、水、油等の熱媒体流体を上記温度制御用パイプに流通させて、電解洗浄液の温度を３０℃〜７０℃の範囲に設定していることを特徴とする金型洗浄装置。
【請求項６】
上記温度制御用パイプに少なくとも１つの噴き出し口を設けると共に、該温度制御用パイプに温風あるいは冷風を供給して電解洗浄液中に温風或いは冷風を噴出させ、あるいは電解洗浄液中への噴き出し口は設けずに電解洗浄液中を循環させた後に外部に排気し、さらには、上記温度制御源に循環させている請求項５に記載の金型洗浄装置。
【請求項７】
上記洗浄槽内に温度センサーを配置して、洗浄槽内に収容した電解洗浄液の温度を検出すると共に、上記温度センサーを制御装置に接続し、温度センサーに検出した温度に応じて、上記温度制御用パイプと温度制御源とを接続する配管に介設したバルブを開閉し、上記電解洗浄液の温度を３０℃〜７０℃の範囲に設定している請求項５または請求項６に記載の金型洗浄装置。
【請求項８】
上記電解洗浄液の温度が３０℃未満の時は加熱用の温度制御源より温水あるいは温風を供給し、７０℃を越える時は冷却用の温度制御源より冷水あるいは冷風を供給する構成としている請求項５乃至請求項７のいずれか１項に記載の金型洗浄装置。
【請求項９】
電解洗浄液を収容する洗浄槽内に被洗浄物である金型を浸漬し、該金型と、洗浄槽内に浸漬した電極とに電流を供給して電解洗浄を行う金型洗浄装置において、
上記金型を保持した金属製の金型保持カゴを洗浄槽内の電解洗浄液に浸漬すると共に、こられ金型の上方から該金型と接触しないように上下長さ調節可能の電極材を吊り下げ、該電極材と上記金属製の金型保持カゴとを電源のプラス側とマイナス側とに接続し、上記電解洗浄液を介して通電して上記金型の電解洗浄を行う構成とし、かつ、
上記洗浄槽の外周面あるいは／および内周面に沿ってヒータを取り付け、あるいは洗浄槽内にヒータを着脱自在に投入し、該ヒータにより、電解洗浄液の温度を制御していることを特徴とする金型洗浄装置。
【請求項１０】
電解洗浄液を収容する洗浄槽内に被洗浄物である金型を浸漬し、該金型と、洗浄槽内に浸漬した電極とに電流を供給して電解洗浄を行う金型洗浄装置において、
上記金型を保持した金属製の金型保持カゴを洗浄槽内の電解洗浄液に浸漬すると共に、こられ金型の上方から該金型と接触しないように上下長さ調節可能の電極材を吊り下げ、該電極材と上記金属製の金型保持カゴとを電源のプラス側とマイナス側とに接続し、上記電解洗浄液を介して通電して上記金型の電解洗浄を行う構成とし、かつ、
上記電極材は鉄、ステンレスあるいはチタンからなり、該電極材の下端に取り付ける電極板を鉄、ステンレス、チタンあるいはグラファイトから形成していることを特徴とする金型洗浄装置。
【請求項１１】
上記金型は合成樹脂成形用の金型である請求項１乃至請求項１０のいずれか１項に記載の金型洗浄装置。
【請求項１２】
上記洗浄槽を外カバーで覆い、該外カバーにルーバーを設けている請求項１乃至請求項１１のいずれか１項に記載の金型洗浄装置。
【請求項１３】
上記洗浄槽内の電解洗浄液に超音波振動を発生させる振動子を設けている請求項１乃至請求項１２のいずれか１項に記載の金型洗浄装置。
【請求項１４】
請求項１乃至請求項１３のいずれか１項の記載の金型洗浄装置の洗浄槽内に収容する電解洗浄用の洗浄液であって、水酸化ナトリウム、水酸化カリウム、ＥＤＴＡのアルカリ塩あるいは／およびグルコン酸ナトリウムを含むアルカリ溶液からなる金型洗浄用の洗浄液。
【手続補正３】
【補正対象書類名】明細書
【補正対象項目名】０００８
【補正方法】変更
【補正の内容】
【０００８】
【課題を解決するための手段】
上記課題を解決するため、本発明は、第１に、電解洗浄液を収容する洗浄槽内に被洗浄物である合成樹脂成形金型等の金型を浸漬し、該金型と、洗浄槽内に浸漬した電極とに電流を供給して電解洗浄を行う金型洗浄装置において、
上記洗浄槽の外周面あるいは／および内周面に沿って、発熱抵抗線を耐熱材で保護した面状ヒータあるいはベルトヒータを取り付けて、洗浄槽の外周面あるいは／および内周面に熱面を形成し、
上記ヒータにより、電解洗浄液の温度を３０℃〜７０℃の範囲に制御していることを特徴とする温度制御機構を備えた金型洗浄装置を提供している。
【手続補正４】
【補正対象書類名】明細書
【補正対象項目名】００１１
【補正方法】変更
【補正の内容】
【００１１】
また、本発明は、第２に、電解洗浄液を収容する洗浄槽内に被洗浄物である合成樹脂成形金型等の金型を浸漬し、該金型と、洗浄槽内に浸漬した電極とに電流を供給して電解洗浄を行う金型洗浄装置において、
上記電解洗浄液を収容した洗浄槽の電解洗浄液の内部に、石英、セラミック、ステンレス、チタン、あるいは、鉄や真鍮にクロームメッキを施したパイプ型のヒータを着脱自在に投入し、
上記ヒータにより、電解洗浄液の温度を３０℃〜７０℃の範囲に設定していることを特徴とする温度制御機構を備えた金型洗浄装置を提供している。
【手続補正５】
【補正対象書類名】明細書
【補正対象項目名】００１４
【補正方法】変更
【補正の内容】
【００１４】
本発明は、第３に、電解洗浄液を収容する洗浄槽内に被洗浄物である合成樹脂成形金型等の金型を浸漬し、該金型と、洗浄槽内に浸漬した電極とに電流を供給して電解洗浄を行う金型洗浄装置において、
上記洗浄槽の内周面に沿って、温度制御用パイプを少なくとも１周配管し、該温度制御用パイプを温度制御源と配管で接続し、該温度制御源より温度制御したエア、水、油等の熱媒体流体を洗浄槽内に循環させ、電解洗浄液の温度を３０℃〜７０℃の範囲に設定していることを特徴とする温度制御機構を備えた金型洗浄装置を提供している。